(57)【要約】【課題】印刷時に印刷パターンの極細細線部分に滲みが発生することがない印刷用サスペンドメタルマスク及びその製造方法を得る。【解決手段】金属製メッシュ１に密着重合させて接合めっきにより一体接合され、所望の印刷用開口パターンが設けられたベースメタル５を備えたスクリーン印刷用サスペンドメタルマスクであって、ベースメタルに設けられる所望の印刷用開口パターンの形成領域は、複数本の極細細線が等間隔で平行に並べられた部分を含み、ベースメタル５の接合めっき面と反対側の被印刷面は荒らし加工が施されたブラスト加工表面５ｄとしているが、少なくとも所望の印刷用開口パターンの形成領域である複数本の極細細線が等間隔で平行に並べられた部分は、荒らし加工がされていない鏡面に近い表面５ｃとする。【選択図】図１２
2016120595.tif 000002
【特許請求の範囲】
【請求項１】
版枠と、
前記版枠の内側に外周を接着固定して張設され、少なくとも中央部に通電性のある金属製メッシュを有するメッシュと、
前記金属製メッシュに密着重合させて接合めっきにより一体接合され、所望の印刷用開口パターンが設けられたベースメタルと、を備えたスクリーン印刷用サスペンドメタルマスクであって、
前記ベースメタルに設けられる所望の印刷用開口パターンの形成領域は、複数本の極細細線が等間隔で平行に並べられた部分を含み、
前記ベースメタルの前記接合めっき面と反対側の被印刷面は荒らし加工が施されたブラスト加工表面としているが、少なくとも前記所望の印刷用開口パターンの形成領域である複数本の極細細線が等間隔で平行に並べられた部分は、荒らし加工がされていない鏡面に近い表面としたことを特徴とするスクリーン印刷用サスペンドメタルマスク。
【請求項２】
ベースメタルのブラスト加工表面は、凸曲面状の微小凸部が多数形成されていることを特徴とする請求項１記載のスクリーン印刷用サスペンドメタルマスク。
【請求項３】
幅１５〜２００μｍ以下の複数本の極細細線を、極細細線相互間の間隔が幅１５〜２００μｍ以下となるように平行に並べたことを特徴とする請求項１又は請求項２記載のスクリーン印刷用サスペンドメタルマスク。
【請求項４】
複数本の極細細線のうち、大きな開口の近くに配置される１本の極細細線の幅を、他の極細細線の幅の２倍以上に設定したことを特徴とする請求項１〜請求項３のいずれか１項に記載のスクリーン印刷用サスペンドメタルマスク。
【請求項５】
複数本の極細細線のうち、大きな開口の近くに配置される１本の極細細線の幅を、他の極細細線の幅の２倍以上に設定し、大きな開口の近くに配置される１本の極細細線のスキージ進行方向の入口側の１／２の部分を荒らし加工がされていない鏡面に近い表面とし、スキージ進行方向の出口側の１／２の部分を荒らし加工が施されたブラスト加工表面としたことを特徴とする請求項１〜請求項３のいずれか１項に記載のスクリーン印刷用サスペンドメタルマスク。
【請求項６】
ベースメタルのブラスト加工表面は、球状のビーズによる荒らし加工が施されたものであることを特徴とする請求項１〜請求項５のいずれか１項に記載のスクリーン印刷用サスペンドメタルマスク。
【請求項７】
版枠と、前記版枠の内側に外周を接着固定して張設され、少なくとも中央部に通電性のある金属製メッシュを有するメッシュと、前記金属製メッシュに密着重合させて接合めっきにより一体接合され、所望の印刷用開口パターンが設けられたベースメタルとを備え、前記ベースメタルに設けられる所望の印刷用開口パターンの形成領域は、複数本の極細細線が等間隔で平行に並べられた部分を含み、前記ベースメタルの前記接合めっき面と反対側の被印刷面は荒らし加工が施されたブラスト加工表面としているが、少なくとも前記所望の印刷用開口パターンの形成領域である複数本の極細細線が等間隔で平行に並べられた部分は、荒らし加工がされていない鏡面に近い表面としたスクリーン印刷用サスペンドメタルマスクの製造方法であって、
ＳＵＳ材の表面の一部に目隠しのパターンレジスト膜を形成し、その上面からブラスト加工を施し、目隠しのパターンレジスト膜で保護されていない箇所の表面を荒らし加工が施されたブラスト加工表面とし、目隠しのパターンレジスト膜で保護されている箇所の表面を荒らし加工が施されていない鏡面に近い表面とした部分荒らしＳＵＳ母材を作製する工程と、
前記部分荒らしＳＵＳ母材を用い、荒らし加工が施されていない鏡面に近い表面に、複数本の極細細線が等間隔で平行に並べられた部分を含む印刷用開口パターンを形成するためのパターンレジスト膜を形成し、部分荒らしＳＵＳ母材の上面からめっき加工を施すことにより、前記ベースメタルの前記接合めっき面と反対側の被印刷面は荒らし加工が施されたブラスト加工表面としているが、少なくとも前記印刷用開口パターンの形成領域である複数本の極細細線が等間隔で平行に並べられた部分は、荒らし加工がされていない鏡面に近い表面としたベースメタルを作製する工程と、
を含むことを特徴とするスクリーン印刷用サスペンドメタルマスクの製造方法。
【請求項８】
部分荒らしＳＵＳ母材のブラスト加工表面は、凹曲面状の微小凹部が多数形成されており、ベースメタルのブラスト加工表面は、凸曲面状の微小凸部が多数形成されていることを特徴とする請求項７記載のスクリーン印刷用サスペンドメタルマスクの製造方法。
【請求項９】
幅１５〜２００μｍ以下の複数本の極細細線を、極細細線相互間の間隔が幅１５〜２００μｍ以下となるように平行に並べたことを特徴とする請求項７又は請求項８記載のスクリーン印刷用サスペンドメタルマスクの製造方法。
【請求項１０】
複数本の極細細線のうち、大きな開口の近くに配置される１本の極細細線の幅を、他の極細細線の幅の２倍以上に設定したことを特徴とする請求項７〜請求項９のいずれか１項に記載のスクリーン印刷用サスペンドメタルマスクの製造方法。
【請求項１１】
複数本の極細細線のうち、大きな開口の近くに配置される１本の極細細線の幅を、他の極細細線の幅の２倍以上に設定し、大きな開口の近くに配置される１本の極細細線のスキージ進行方向の入口側の１／２の部分を荒らし加工がされていない鏡面に近い表面とし、スキージ進行方向の出口側の１／２の部分を荒らし加工が施されたブラスト加工表面としたことを特徴とする請求項７〜請求項９のいずれか１項に記載のスクリーン印刷用サスペンドメタルマスクの製造方法。
【請求項１２】
メタルマスクに設けられる所望の印刷用開口パターンの形成領域は、複数本の極細細線が等間隔で平行に並べられた部分を含み、
メタルマスクの被印刷面は荒らし加工が施されたブラスト加工表面としているが、少なくとも前記所望の印刷用開口パターンの形成領域である複数本の極細細線が等間隔で平行に並べられた部分は、荒らし加工がされていない鏡面に近い表面とし、
メタルマスクのブラスト加工表面は、凸曲面状の微小凸部が多数形成されていることを特徴とするスクリーン印刷用メタルマスク。
【発明の詳細な説明】
【技術分野】
【０００１】
この発明は、印刷用サスペンドメタルマスク及びその製造方法に関するものである。
【背景技術】
【０００２】
従来、電鋳により所望の印刷パターンにパターンニングされた多数の開口部を有するマスク基板の片面側に、囲い枠に対して緊張状態で張設した導電性を有するステンレスメッシュを重合密着させてめっきにより一体接合させてなるメッシュ一体型メタルマスクが知られている（例えば、特許文献１参照）。このメッシュ一体型メタルマスクでは、ステンレス製の電鋳母型の表面をそのまま使用しているので、電鋳母型の表面に形成される電着層（マスク基板）は荒らし加工の無い鏡面に近い状態となるため、マスク基板が印刷面に密着し版離れが悪くなる。
【０００３】
また、他の従来技術として、版枠と、版枠の内側に外周を接着固定して張設され、少なくとも中央部に通電性のある金属製メッシュを有するメッシュと、金属製メッシュに密着重合させて接合めっきにより一体接合され、印刷用開口パターンが設けられたベースメタル（電着層）とを備えたものにおいて、ベースメタルは、中央部に印刷用開口パターンを形成するとともに、印刷面（基板面側）に印刷時にエアーを逃がすためのエアー抜き用凸部を多数形成したサスペンドメタルマスクが知られている（例えば、特許文献２参照）。
【先行技術文献】
【特許文献】
【０００４】
【特許文献１】特開平８−１８３１５１号公報
【特許文献２】特開２０１４−１３８９８１号公報
【発明の概要】
【発明が解決しようとする課題】
【０００５】
上記他の従来技術のサスペンドメタルマスクにおいては、ベースメタル用ＳＵＳ母材の表面全体に、電解研磨、化学研磨、ブラスト等で荒らし加工を施すことによりＳＵＳ母材表面に微小な凹形状を形成することで、ＳＵＳ母材の表面に形成されるベースメタルの母材側を印刷体に接する側に使用することで、印刷体に接触する側の全面に微小な凸部が多数形成されているため、印刷時にエアー抜きをすることでカスレを防止することができる。しかし、例えば、タッチパネル用配線パターンに使用されるベースメタルの場合、所望の印刷パターン形状が例えば、幅約５０μｍ以下の複数本の極細細線であり、極細細線相互間の間隔が約５０μｍ以下となるように平行に並べられており、極細細線の先端部は端子用の太線に接続されているので、極細細線と端子用の太線が混在した状態となる。このような場合、ベースメタルの印刷パターン全体に荒らし加工による微小な凸部が多数形成されているため、印刷時に印刷パターンの極細細線部分に滲みが発生し易くなるという問題が発生する。
【０００６】
この発明は、上述のような課題を解決するためになされたもので、印刷時に印刷パターンの極細細線部分に滲みが発生することがない印刷用サスペンドメタルマスク及びその製造方法を提供するものである。
【課題を解決するための手段】
【０００７】
この発明に係る印刷用サスペンドメタルマスクにおいては、版枠と、版枠の内側に外周を接着固定して張設され、少なくとも中央部に通電性のある金属製メッシュを有するメッシュと、金属製メッシュに密着重合させて接合めっきにより一体接合され、所望の印刷用開口パターンが設けられたベースメタルと、を備えたスクリーン印刷用サスペンドメタルマスクであって、ベースメタルに設けられる所望の印刷用開口パターンの形成領域は、複数本の極細細線が等間隔で平行に並べられた部分を含み、ベースメタルの接合めっき面と反対側の被印刷面は荒らし加工が施されたブラスト加工表面としているが、少なくとも所望の印刷用開口パターンの形成領域である複数本の極細細線が等間隔で平行に並べられた部分は、荒らし加工がされていない鏡面に近い表面としたものである。
【０００８】
また、ベースメタルのブラスト加工表面は、凸曲面状の微小凸部が多数形成されているものである。
【０００９】
また、幅１５〜２００μｍ以下の複数本の極細細線を、極細細線相互間の間隔が幅１５〜２００μｍ以下となるように平行に並べたものである。
【００１０】
また、複数本の極細細線のうち、大きな開口の近くに配置される１本の極細細線の幅を、他の極細細線の幅の２倍以上に設定したものである。
【００１１】
また、複数本の極細細線のうち、大きな開口の近くに配置される１本の極細細線の幅を、他の極細細線の幅の２倍以上に設定し、大きな開口の近くに配置される１本の極細細線のスキージ進行方向の入口側の１／２の部分を荒らし加工がされていない鏡面に近い表面とし、スキージ進行方向の出口側の１／２の部分を荒らし加工が施されたブラスト加工表面としたものである。
【００１２】
また、この発明に係る印刷用サスペンドメタルマスクの製造方法においては、ＳＵＳ材の表面の一部に目隠しのパターンレジスト膜を形成し、その上面からブラスト加工を施し、目隠しのパターンレジスト膜で保護されていない箇所の表面を荒らし加工が施されたブラスト加工表面とし、目隠しのパターンレジスト膜で保護されている箇所の表面を荒らし加工が施されていない鏡面に近い表面とした部分荒らしＳＵＳ母材を作製する工程と、部分荒らしＳＵＳ母材を用い、荒らし加工が施されていない鏡面に近い表面に、複数本の極細細線が等間隔で平行に並べられた部分を含む印刷用開口パターンを形成するためのパターンレジスト膜を形成し、部分荒らしＳＵＳ母材の上面からめっき加工を施すことにより、ベースメタルの接合めっき面と反対側の被印刷面は荒らし加工が施されたブラスト加工表面としているが、少なくとも印刷用開口パターンの形成領域である複数本の極細細線が等間隔で平行に並べられた部分は、荒らし加工がされていない鏡面に近い表面としたベースメタルを作製する工程と、を含むものである。
【００１３】
また、部分荒らしＳＵＳ母材のブラスト加工表面は、凹曲面状の微小凹部が多数形成されており、ベースメタルのブラスト加工表面は、凸曲面状の微小凸部が多数形成されているものである。
【００１４】
また、この発明に係る印刷用メタルマスクにおいては、メタルマスクに設けられる所望の印刷用開口パターンの形成領域は、複数本の極細細線が等間隔で平行に並べられた部分を含み、メタルマスクの被印刷面は球状のビーズによる荒らし加工が施されたブラスト加工表面としているが、少なくとも所望の印刷用開口パターンの形成領域である複数本の極細細線が等間隔で平行に並べられた部分は、球状のビーズによる荒らし加工がされていない鏡面に近い表面とし、メタルマスクのブラスト加工表面は、球状の一部からなる凸曲面状の微小凸部が多数形成されているものである。
【発明の効果】
【００１５】
この発明によれば、印刷パターン形状が、例えば幅約１５〜２００μｍ以下の複数本（例えば１０本）の極細細線であり、極細細線相互間の間隔が約１５〜２００μｍ以下となるように平行に並んだものが要求された場合であっても、幅約１５〜２００μｍ以下の複数本の極細細線と対応する形成領域のベースメタル５の表面は、荒らし加工が施されていない鏡面に近い表面となるので、メタルマスクとしての印刷使用時に印刷ムラが発生することがなく、綺麗な印刷になるという効果がある。
【図面の簡単な説明】
【００１６】
【図１】この発明の実施の形態１において基本となる印刷用サスペンドメタルマスクの製造方法に必要な各構成要素を分離して示す斜視図である。
【図２】この発明の実施の形態１において基本となる印刷用サスペンドメタルマスクの製造方法の接合めっき工程を示す断面図である。
【図３】この発明の実施の形態１において基本となる印刷用サスペンドメタルマスクの製造方法の接合めっきが終了した状態を示す断面図である。
【図４】この発明の実施の形態１において基本となる印刷用サスペンドメタルマスクの製造方法の接合状態からセットを解除した状態を示す断面図である。
【図５】この発明の実施の形態１において基本となる印刷用サスペンドメタルマスクの製造方法のベースメタルからＳＵＳ母材を剥離している状態を示す断面図である。
【図６】この発明の実施の形態１において基本となる印刷用サスペンドメタルマスクの製造方法のベースメタルの開口レジストを剥離する前の状態を示す断面図である。
【図７】この発明の実施の形態１において基本となる印刷用サスペンドメタルマスクの製造方法のベースメタルの開口レジストを剥離した状態を示す断面図である。
【図８】この発明の実施の形態１における印刷用サスペンドメタルマスクの製造方法に使用するＳＵＳ母材の作製工程を示す断面図である。
【図９】この発明の実施の形態１における印刷用サスペンドメタルマスクの製造方法に使用するＳＵＳ母材の表面状態を示す要部平面図である。
【図１０】図９のＳＵＳ母材のＡ部を拡大して示す断面図である。
【図１１】この発明の実施の形態１における印刷用サスペンドメタルマスクの製造方法に使用するベースメタルの作製工程を示す断面図である。
【図１２】この発明の実施の形態１における印刷用サスペンドメタルマスクを示す要部平面図である。
【図１３】図１２の一部を拡大して示す平面図である。
【図１４】図１２のベースメタルのＢ部を拡大して示す断面図である。
【発明を実施するための形態】
【００１７】
この発明をより詳細に説明するため、添付の図面に従ってこれを説明する。なお、各図
中、同一又は相当する部分には同一の符号を付しており、その重複説明は適宜に簡略化な
いし省略する。
【００１８】
実施の形態１.
図１はこの発明の実施の形態１において基本となる印刷用サスペンドメタルマスクの製造方法に必要な各構成要素を分離して示す斜視図、図２〜図７はこの発明の実施の形態１において基本となる印刷用サスペンドメタルマスクの製造方法の製造工程を示す断面図、図８はこの発明の実施の形態１における印刷用サスペンドメタルマスクの製造方法に使用するＳＵＳ母材の作製工程を示す断面図、図９はこの発明の実施の形態１における印刷用サスペンドメタルマスクの製造方法に使用するＳＵＳ母材の表面状態を示す要部平面図、図１０は図９のＳＵＳ母材のＡ部を拡大して示す断面図、図１１はこの発明の実施の形態１における印刷用サスペンドメタルマスクの製造方法に使用するベースメタルの作製工程を示す断面図、図１２はこの発明の実施の形態１における印刷用サスペンドメタルマスクを示す要部平面図、図１３は図１２の一部を拡大して示す平面図、図１４は図１２のベースメタルのＢ部を拡大して示す断面図である。
【００１９】
この発明の基本となる印刷用サスペンドメタルマスクの製造方法に必要な構成要素は、図１に示すように、中央部に設けられた通電性を有するステンレスメッシュ又はニッケルメッシュからなる金属製メッシュ１及びこの金属製メッシュ１の外側に設けられたテトロンメッシュ２とからなるコンビネーションメッシュが内側に張設された四角形状の金属製版枠３と、ベースメタル用ＳＵＳ母材４上に設けられ、印刷用開口パターンが形成される中央部分に印刷用開口パターン形成用レジスト５ａが施されているＮｉ製のベースメタル５と、テトロンメッシュ６が張設された四角形状の接合補助用金属製版枠７と、この接合補助用金属製版枠７のテトロンメッシュ６とベースメタル用ＳＵＳ母材４との間に介装されるスポンジ８とから構成される。なお、四角形状の金属製版枠３に張設されるメッシュは、中央部の金属製メッシュ１と外側のテトロンメッシュ２とからなるコンビネーションメッシュが好適であるが、コンビネーションメッシュでなく、通電性を有する金属製メッシュ１の単体からなる一枚物であっても良い。上記ベースメタル５は、所望の箇所に印刷用開口パターン５ｂが形成されている。
【００２０】
この発明の基本となる印刷用サスペンドメタルマスクの製造方法の接合めっき工程に当たっては、図２に示すように、右側に四角形状の金属製版枠３を配置し、左側に四角形状の接合補助用金属製版枠７を配置する。そして、金属製版枠３の金属製メッシュ１と重合して位置するようにベースメタル５を配置し、金属製版枠３と接合補助用金属製版枠７を互いに重合させて粘着テープ９等で締結固定し、ベースメタル用ＳＵＳ母材４及びスポンジ８を介してベースメタル５と金属製メッシュ１が互いに密着状態となるようにセットする。この密着状態にセットしたものを陰極１０に接続するとともに電気的に導通させて、スルファミン酸ニッケル浴が入っためっき槽１１内に収容し、ニッケル１２を陽極１３に接続することにより、ベースメタル５と金属製メッシュ１の間で接合めっきを行い、両者を一体的に接合する。この接合めっき量は、通常片側２μｍとし、電鋳めっきと同じめっき法を用いる。また、陽・陰極電流密度は約０．１〜２．０Ａ／ｄｍ２、好ましくは０．５〜１．０Ａ／ｄｍ２の低電流を用いることにより、接合めっき量の均一性向上と金属製メッシュ１の断線を防止することができる。
【００２１】
次に、接合めっき工程が終了したら、上記密着状態にセットしたものをめっき槽１１から取り出し（図３参照）、粘着テープ９を取り外して密着状態にセットしたものを解除する（図４参照）。次に、ベースメタル５からベースメタル用ＳＵＳ母材４を剥離する（図５及び図６参照）。その後、ベースメタル５と金属製メッシュ１の接合部がめっきにより一体的に接合されている金属製版枠３のベースメタル５から印刷用開口パターン形成用レジスト５ａを剥離することにより、印刷用開口パターン５ｂが形成される（図７参照）。なお、ベースメタル５の印刷用開口パターン形成用レジスト５ａ及び印刷用開口パターン５ｂは、簡略化してイメージのみを示したものであり、実際のものとは相違する。なお、詳細は図１１を参照。
【００２２】
この基本となる印刷用サスペンドメタルマスクでは、ベースメタル用ＳＵＳ母材４の表面全体に、電解研磨、化学研磨、ブラスト等で荒らし加工を施すことにより、ＳＵＳ母材の表面に形成される電着層（ベースメタル）の印刷体に接触する側の全面に微小な凸部が多数形成されているため、印刷時にエアー抜きをすることでカスレを防止することができるが、例えば、タッチパネル用配線パターンに使用されるメタルマスクの場合、所望の印刷パターン形状が例えば、幅約５０μｍ以下の複数本の極細細線であり、極細細線相互間の間隔が約５０μｍ以下となるように平行に並べられており、極細細線の先端部が端子用の太線に接続されており、極細細線と端子用の太線が混在することになる。このような場合、メタルマスクの印刷パターン部分の周辺にも荒らし加工による微小な凸部が多数形成されているため、印刷時に印刷パターンの極細細線部分に滲みが発生し易くなるという問題が発生する。
【００２３】
次に、この問題を解決したこの発明の印刷用サスペンドメタルマスクの製造方法に使用する部分荒らしＳＵＳ母材の作製工程及びＳＵＳ母材の表面の状態を図８〜図１０により説明する。
まず位置決め用認識マーク（図示せず）を付したＳＵＳ材４１を用意し（図８（ａ））、ＳＵＳ材４１の表面にドライフィルム４２を塗布する（図８（ｂ））。次にドライフィルム４２の上に印刷パターンフィルム４３を密着させて露光、現像等を行い（図８（ｃ））、ＳＵＳ材４１の表面の、例えば幅約１０００μｍ（１ｍｍ）のみにパターンレジスト膜４２ａを形成し、目隠しとする（図８（ｄ））。なお、この幅約１０００μｍ（１ｍｍ）のパターンレジスト膜４２ａが形成される形成領域は、位置決め用認識マークで位置合わせすることにより正確に設定することができ、タッチパネル用配線パターンに使用されるメタルマスクの場合、所望の印刷パターン形状が、例えば幅約５０μｍ以下の複数本（例えば１０本）の極細細線であり、極細細線相互間の間隔が約５０μｍ以下となるように平行に並べたものが相当し、それに例えば＋１００μｍ程度の補正をかけたものとなる。そして、幅約１０００μｍ（１ｍｍ）の目隠しのパターンレジスト膜４２ａが形成されたＳＵＳ材４１の上面から球状のビーズによるブラスト加工が施される（図８（ｅ））。この球状のビーズによるブラスト加工終了後に得られるこの発明のＳＵＳ母材４の表面の状態は、図９に示すように、幅約１０００μｍ（１ｍｍ）の目隠しのパターンレジスト膜４２ａで保護されていない箇所の表面は、球状のビーズによる荒らし加工が施されたブラスト加工表面４ａとなるが、幅約１０００μｍ（１ｍｍ）の目隠しのパターンレジスト膜４２ａで保護されている形成領域の表面は、球状のビーズによる荒らし加工が施されていない鏡面に近い表面４ｂとなる。すなわち、部分荒らしＳＵＳ母材４が作製されることになる。ブラスト加工表面４ａの表面粗さの十点平均粗さＲｚは約２〜５μｍであり、鏡面に近い表面４ｂの表面粗さの十点平均粗さＲｚは約１μｍ以下である。なお、球状のビーズによる荒らし加工が施されたブラスト加工表面４ａには、図１０に示すように、球状の一部からなる凹曲面状の微小凹部が多数形成されることになる。このように球状の一部からなる凹曲面状の微小凹部であることから、後の作製工程で作製されるベースメタル５を部分荒らしＳＵＳ母材４から容易に剥がすことができる。ブラスト加工表面４ａが凹曲面状の微小凹部ではなく、垂直な壁面を持つものであると、ベースメタル５が剥がれにくくなってしまうのである。
【００２４】
次に、問題を解決したこの発明の印刷用サスペンドメタルマスクの製造方法に使用するベースメタルの作製工程を図１１により説明する。
まず上記ＳＵＳ母材の作製工程で得られた部分荒らしＳＵＳ母材４をブラスト加工表面４ａが上となるように用意し（図１１（ａ））、部分荒らしＳＵＳ母材４の上面にドライフィルム５２を塗布する（図１１（ｂ））。次にドライフィルム５２の上に印刷パターンフィルム５３を密着させて露光、現像等を行い（図１１（ｃ））、部分荒らしＳＵＳ母材４の上面中央の幅約１０００μｍ（１ｍｍ）の範囲である鏡面に近い表面４ｂに、例えば幅約５０μｍ以下の複数本（例えば１０本）の極細細線であり、極細細線相互間の間隔が約５０μｍ以下となるように平行に並べたパターンレジスト膜５２ａを形成する（図１１（ｄ））。なお、幅約１０００μｍ（１ｍｍ）の範囲にパターンレジスト膜５２ａを正確に形成するために位置決め用認識マークが利用される。そして、パターンレジスト膜５２ａが形成された部分荒らしＳＵＳ母材４の上面からめっき加工を施すことにより、ベースメタル５を作製する（図１１（ｅ））。このめっき加工終了後に得られるこの発明のベースメタル５の表面の状態は、部分荒らしＳＵＳ母材４の球状のビーズによる荒らし加工が施されたブラスト加工表面４ａと対応する面が、ベースメタル５のブラスト加工表面５ｄとなる。一方、部分荒らしＳＵＳ母材４の上面中央の幅約１０００μｍ（１ｍｍ）の範囲である鏡面に近い表面４ｂに対応する面が、ベースメタル５の球状のビーズによる荒らし加工がされていない鏡面に近い表面５ｃとなる。ベースメタル５のブラスト加工表面５ｄの表面粗さの十点平均粗さＲｚは約２〜５μｍとなり、鏡面に近い表面５ｃの表面粗さの十点平均粗さＲｚは約１μｍ以下となる。なお、ベースメタル５のブラスト加工表面５ｄには、図１４に示すように、球状の一部からなる凸曲面状の微小凸部が多数形成されることになる。このように球状の一部からなる凸曲面状の微小凸部であることから、印刷対象物（印刷体）に対し滑らかに接触することになるので、印刷対象物に傷が付きにくいという利点がある。
【００２５】
次に、この発明の印刷用サスペンドメタルマスクの要部構成を図１２〜図１４により説明する。球状のビーズによるブラスト加工終了後に得られる部分荒らしＳＵＳ母材４を使用して、印刷用サスペンドメタルマスクを作製する場合を考える。例えば、タッチパネル用配線パターンに使用されるサスペンドメタルマスクのベースメタル５の場合、所望の印刷パターン形状が、例えば幅約５０μｍ以下の複数本（例えば１０本）の極細細線であり、極細細線相互間の間隔が約５０μｍ以下となるように平行に並べたもので、極細細線の先端部は端子用の太線に接続されているので、極細細線と端子用の太線が混在した状態となる。幅約５０μｍ以下の複数本（１０本）の極細細線と対応する形成領域のベースメタル５の表面は、球状のビーズによる荒らし加工が施されていない鏡面に近い表面５ｃとなる。一方、極細細線と対応する形成領域以外の箇所（端子用の太線を含む）のベースメタル５の表面は、球状のビーズによる荒らし加工が施された凸曲面状の微小凸部が多数形成されたブラスト加工表面５ｄとなる。なお、図１２〜図１３において、ベースメタル５の裏側には金属製メッシュ１がめっきにより接合されているので、ベースメタル５の印刷パターン形状を通して裏側の金属製メッシュ１の一部が見える。
これにより、タッチパネル用配線パターンに使用されるサスペンドメタルマスクのベースメタル５の場合で、所望の印刷パターン形状が、例えば幅約５０μｍ以下の複数本（例えば１０本）の極細細線であり、極細細線相互間の間隔が約５０μｍ以下となるように平行に並んだものが要求された場合であっても、幅約５０μｍ以下の複数本の極細細線と対応する形成領域のベースメタル５の表面は、球状のブラストによる荒らし加工が施されていない鏡面に近い表面５ｃとなるので、印刷時に印刷パターンの極細細線部分に滲みが発生することがない。
なお、所望の印刷パターン形状を、例えば幅約５０μｍ以下の複数本の極細細線であり、極細細線相互間の間隔が約５０μｍ以下となるように平行に並べたものとしたが、複数本の極細細線の本数と幅と間隔は、設計値であるので任意に変更することができる。例えば、本数は２０〜３０本、幅と間隔は、約１５μｍ〜２００μｍまで可能である。
【００２６】
実施の形態２.
上記実施の形態１では、所望の印刷パターン形状が、例えば幅約５０μｍ以下の複数本（例えば１０本）の極細細線であり、極細細線相互間の間隔が約５０μｍ以下となるように平行に並べたものであり、各極細細線を全て同一幅であるとしたが、この実施の形態２においては、複数本の極細細線のうち、大きな開口の近くに配置される１本の極細細線（図１２の最上端に配置される極細細線）の幅を、最上端の下方に配置される他の極細細線の幅の２倍以上に設定したものである。この場合、スキージの進行方向は下方から上方に向かって移動するものとする。大きな開口の近くに配置される１本の極細細線（図１２の最上端に配置される極細細線）の下方寄り（スキージ進行方向の入口側）の１／２の部分は、滲みの問題があるため、荒らし加工が施されていない鏡面に近い表面５ｃとするが、大きな開口の近くに配置される１本の極細細線（図１２の最上端に配置される極細細線）の上方寄り（スキージ進行方向の出口側）の１／２の部分は、滲みの問題が発生することが少ないので、荒らし加工が施されたブラスト加工表面５ｄとしたものである。
この実施の形態２においても、実施の形態１と同様、印刷時に印刷パターンの極細細線部分に滲みが発生することがないという効果を得ることができる。
【００２７】
実施の形態３.
上記実施の形態１、２では、印刷用サスペンドメタルマスクの製造方法に使用する部分荒らしＳＵＳ母材の作製工程、同じく印刷用サスペンドメタルマスクの製造方法に使用するベースメタルの作製工程、及び印刷用サスペンドメタルマスクの要部構成について説明したが、この発明は印刷用サスペンドメタルマスクに限らず、所望の印刷パターン形状が例えば、幅約５０μｍ以下の複数本の極細細線であり、極細細線相互間の間隔が約５０μｍ以下となるように平行に並べられている場合にも、適用することが可能である。
【符号の説明】
【００２８】
１  金属製メッシュ
２  テトロンメッシュ
３  金属製版枠
４  部分荒らしＳＵＳ母材（ベースメタル用ＳＵＳ母材）
４ａ  ブラスト加工表面
４ｂ  鏡面に近い表面（ブラスト加工なし）
５  ベースメタル
５ａ  印刷用開口パターン形成用レジスト
５ｂ  印刷用開口パターン
５ｃ  鏡面に近い表面
５ｄ  ブラスト加工表面
６  テトロンメッシュ
７  接合補助用金属製版枠
８  スポンジ
９  粘着テープ
１０  陰極
１１  めっき槽
１２  ニッケル
１３  陽極
４１  ＳＵＳ材
４２、５２  ドライフィルム
４２ａ  目隠しのパターンレジスト膜
５２ａ  パターンレジスト膜
４３、５３  印刷パターンフィルム
【図１】
2016120595.tif 000003
【図２】
2016120595.tif 000004
【図３】
2016120595.tif 000005
【図４】
2016120595.tif 000006
【図５】
2016120595.tif 000007
【図６】
2016120595.tif 000008
【図７】
2016120595.tif 000009
【図８】
2016120595.tif 000010
【図９】
2016120595.tif 000011
【図１０】
2016120595.tif 000012
【図１１】
2016120595.tif 000013
【図１２】
2016120595.tif 000014
【図１３】
2016120595.tif 000015
【図１４】
2016120595.tif 000016